(57)【要約】【課題】同一色のディザ処理を２回に分けて行うことができる画像処理装置、画像処理システム、画像処理方法及びプログラムを提供する。【解決手段】所定色の画像データを構成する各画素の階調値を入力する色変換手段１３０７と、未印刷の記録媒体への印刷である第１パスか、印刷済みの記録媒体の同一面への再印刷である第２パスかを示すパス情報を入力する２パス設定手段１３１９と、ディザテーブルを保持し、当該ディザテーブル、前記階調値、及び前記パス情報に基づいて、前記各画素に対してディザ処理を施すディザ処理手段１３１０と、を備える。【選択図】図３
2015061140.tif 000002
【特許請求の範囲】
【請求項１】
所定色の画像データを構成する各画素の階調値を入力する階調値入力部と、
未印刷の記録媒体への印刷である第１パスか、印刷済みの記録媒体の同一面への再印刷である第２パスかを示すパス情報を入力するパス情報入力部と、
ディザテーブルを保持し、当該ディザテーブル、前記階調値、及び前記パス情報に基づいて、前記各画素に対してディザ処理を施すディザ処理部と、
を備える画像処理装置。
【請求項２】
前記ディザ処理部は、閾値を更に保持し、
前記階調値が前記閾値以下、かつ前記パス情報が前記第１パスを示す場合、前記階調値が前記ディザテーブルの該当値以上であれば、前記階調値の画素にドットを設定し、
前記階調値が前記閾値よりも大きく、かつ前記パス情報が前記第１パスを示す場合、前記階調値が前記ディザテーブルの該当値以上、かつ前記該当値が前記閾値以下であれば、前記階調値の画素にドットを設定し、
前記階調値が前記閾値よりも大きく、かつ前記パス情報が前記第２パスを示す場合、前記階調値が前記ディザテーブルの該当値以上、かつ前記該当値が前記閾値よりも大きければ、前記階調値の画素にドットを設定する請求項１に記載の画像処理装置。
【請求項３】
前記ディザ処理部は、
前記階調値が前記閾値以下、かつ前記パス情報が前記第１パスを示す場合、前記階調値が前記ディザテーブルの該当値未満であれば、前記階調値の画素にドットを設定せず、
前記階調値が前記閾値以下、かつ前記パス情報が前記第２パスを示す場合、前記階調値の画素にドットを設定せず、
前記階調値が前記閾値よりも大きく、かつ前記パス情報が前記第１パスを示す場合、前記階調値が前記ディザテーブルの該当値未満、又は前記該当値が前記閾値よりも大きければ、前記階調値の画素にドットを設定せず、
前記階調値が前記閾値よりも大きく、かつ前記パス情報が前記第２パスを示す場合、前記階調値が前記ディザテーブルの該当値未満、又は前記該当値が前記閾値未満であれば、前記階調値の画素にドットを設定しない請求項２に記載の画像処理装置。
【請求項４】
前記ディザ処理部は、第１閾値及び当該第１閾値よりも小さい第２閾値を更に保持し、
前記階調値が前記第１閾値以下、かつ前記パス情報が前記第１パスを示す場合、前記階調値が前記ディザテーブルの該当値以上であれば、前記階調値の画素にドットを設定し、
前記階調値が前記第１閾値よりも大きく、かつ前記パス情報が前記第１パスを示す場合、前記階調値が前記ディザテーブルの該当値以上、かつ前記該当値が前記第１閾値以下であれば、前記階調値の画素にドットを設定し、
前記階調値が前記第２閾値よりも大きく、かつ前記パス情報が前記第２パスを示す場合、前記階調値が前記ディザテーブルの該当値以上、かつ前記該当値が前記第２閾値よりも大きければ、前記階調値の画素にドットを設定する請求項１に記載の画像処理装置。
【請求項５】
前記ディザ処理部は、第１閾値及び当該第１閾値よりも小さい第２閾値を更に保持し、
前記階調値が前記第１閾値以下、かつ前記パス情報が前記第１パスを示す場合、前記階調値が前記ディザテーブルの該当値未満であれば、前記階調値の画素にドットを設定せず、
前記階調値が前記第２閾値以下、かつ前記パス情報が前記第２パスを示す場合、前記階調値の画素にドットを設定せず、
前記階調値が前記第１閾値よりも大きく、かつ前記パス情報が前記第１パスを示す場合、前記階調値が前記ディザテーブルの該当値未満、又は前記該当値が前記第１閾値よりも大きければ、前記階調値の画素にドットを設定せず、
前記階調値が前記第２閾値よりも大きく、かつ前記パス情報が前記第２パスを示す場合、前記階調値が前記ディザテーブルの該当値未満、又は前記該当値が前記第２閾値未満であれば、前記階調値の画素にドットを設定しない請求項４に記載の画像処理装置。
【請求項６】
前記ディザ処理部は、
前記階調値の所定ビットが０、かつ前記パス情報が前記第１パスを示す場合、前記階調値が前記ディザテーブルの該当値以上であれば、前記階調値の画素にドットを設定し、
前記階調値の前記所定ビットが１、かつ前記パス情報が前記第１パスを示す場合、前記階調値が前記ディザテーブルの該当値以上、かつ前記該当値が、前記所定ビットが１の場合の前記階調値の最小値未満であれば、前記階調値の画素にドットを設定し、
前記階調値の前記所定ビットが１、かつ前記パス情報が前記第２パスを示す場合、前記階調値が前記ディザテーブルの該当値以上、かつ前記該当値が、前記所定ビットが１の場合の前記階調値の最小値以上であれば、前記階調値の画素にドットを設定する請求項１に記載の画像処理装置。
【請求項７】
前記ディザ処理部は、
前記階調値の所定ビットが０、かつ前記パス情報が前記第１パスを示す場合、前記階調値が前記ディザテーブルの該当値未満であれば、前記階調値の画素にドットを設定せず、
前記階調値の前記所定ビットが０、かつ前記パス情報が前記第２パスを示す場合、前記階調値の画素にドットを設定せず、
前記階調値の前記所定ビットが１、かつ前記パス情報が前記第１パスを示す場合、前記階調値が前記ディザテーブルの該当値未満、又は前記該当値が、前記所定ビットが１の場合の前記階調値の最小値以上であれれば、前記階調値の画素にドットを設定せず、
前記階調値の前記所定ビットが１、かつ前記パス情報が前記第２パスを示す場合、前記階調値が前記ディザテーブルの該当値未満、又は前記該当値が、前記所定ビットが１の場合の前記階調値の最小値未満であれば、前記階調値の画素にドットを設定しない請求項６に記載の画像処理装置。
【請求項８】
前記所定ビットは、前記階調値の最上位ビットである請求項６又は７に記載の画像処理装置。
【請求項９】
前記パス情報が前記第１パスを示す場合、前記第１パスでの印刷結果を示す表示用画像を作成する表示用画像作成部と、
前記表示用画像を表示する表示部と、
を更に備える請求項１〜８に記載の画像処理装置。
【請求項１０】
前記第２パスで使用する給紙トレイを選択させる選択部
を更に備える請求項１〜９に記載の画像処理装置。
【請求項１１】
所定色の画像データを構成する各画素の階調値を入力する階調値入力部と、
未印刷の記録媒体への印刷である第１パスか、印刷済みの記録媒体の同一面への再印刷である第２パスかを示すパス情報を入力するパス情報入力部と、
ディザテーブルを保持し、当該ディザテーブル、前記階調値、及び前記パス情報に基づいて、前記各画素に対してディザ処理を施すディザ処理部と、
を備える画像処理システム。
【請求項１２】
所定色の画像データを構成する各画素の階調値を入力する階調値入力ステップと、
未印刷の記録媒体への印刷である第１パスか、印刷済みの記録媒体の同一面への再印刷である第２パスかを示すパス情報を入力するパス情報入力ステップと、
ディザテーブルを保持し、当該ディザテーブル、前記階調値、及び前記パス情報に基づいて、前記各画素に対してディザ処理を施すディザ処理ステップと、
を含む画像処理方法。
【請求項１３】
所定色の画像データを構成する各画素の階調値を入力する階調値入力ステップと、
未印刷の記録媒体への印刷である第１パスか、印刷済みの記録媒体の同一面への再印刷である第２パスかを示すパス情報を入力するパス情報入力ステップと、
ディザテーブルを保持し、当該ディザテーブル、前記階調値、及び前記パス情報に基づいて、前記各画素に対してディザ処理を施すディザ処理ステップと、
をコンピュータに実行させるためのプログラム。
【発明の詳細な説明】
【技術分野】
【０００１】
本発明は、画像処理装置、画像処理システム、画像処理方法及びプログラムに関する。
【背景技術】
【０００２】
従来から、トナーなどの現像剤を記録紙などの記録媒体に転写し、定着させることで印刷を行う電子写真方式の画像形成装置が知られている。このような画像形成装置では、各色のトナーをそれぞれ最大１００％ずつ記録媒体に転写することが可能である。例えば、ブラック（Ｋ）、シアン（Ｃ）、マゼンタ（Ｍ）、及びイエロー（Ｙ）の４色のトナーであれば、最大総量４００％分のトナーが記録媒体に転写される。
【０００３】
但し、記録媒体に定着させることができるトナーの総量には限度があり、例えば、プロダクション・プリンティング分野の印刷業向け高速カット紙カラープリンタでは、２５０％程度である。
【０００４】
このため、例えば、特許文献１や特許文献２には、印刷する色を極力変えないようにしてトナー量を減らす総量規制の技術が提案されている。
【発明の概要】
【発明が解決しようとする課題】
【０００５】
しかしながら、上述したような従来技術では、通常、ＣＭＹの現像剤で表現するグレーをＫの現像剤で置き換えることで、現像剤の総量を削減するため、シャドウ部の再現性に乏しかったり、人肌に墨がかぶったようになったりするなど、画質の低下を招く。
【０００６】
また近年では、印刷物に光沢を出すために、色の付いていない透明の現像剤を更に用いて印刷を行う画像処理装置もある。この場合、最上部に転写される透明の現像剤を最大１００％転写可能にする必要があるため、全ての現像剤を記録媒体に定着させるためには、他の色の現像剤については、最大１５０％程度しか転写することができず、色再現域が狭くなってしまう。
【０００７】
ここで、色再現域を確保しつつ画質の低下を防止して印刷を行う方法として、印刷を２回に分ける手法が考えられる。このようにすれば、定着も２回に分けられるため、１回の定着毎に現像剤を最大２５０％程度（合計、最大５００％程度）定着させることができる。
【０００８】
但し、印刷に用いる現像剤の色数が５色など奇数の場合、同一色の現像剤の印刷を２回に分けて行わなければならない場合があり、この場合、当該同一色のディザ処理も２回に分けて行わなければならない。
【０００９】
本発明は、上記事情に鑑みてなされたものであり、同一色のディザ処理を２回に分けて行うことができる画像処理装置、画像処理システム、画像処理方法及びプログラムを提供することを目的とする。
【課題を解決するための手段】
【００１０】
上述した課題を解決し、目的を達成するために、本発明の一態様にかかる画像処理装置は、所定色の画像データを構成する各画素の階調値を入力する階調値入力部と、未印刷の記録媒体への印刷である第１パスか、印刷済みの記録媒体の同一面への再印刷である第２パスかを示すパス情報を入力するパス情報入力部と、ディザテーブルを保持し、当該ディザテーブル、前記階調値、及び前記パス情報に基づいて、前記各画素に対してディザ処理を施すディザ処理部と、を備える。
【発明の効果】
【００１１】
本発明によれば、同一色のディザ処理を２回に分けて行うことができるという効果を奏する。
【図面の簡単な説明】
【００１２】
【図１】図１は、第１実施形態の画像処理システムの構成の一例を示すブロック図である。
【図２】図２は、第１実施形態のプリンタ・エンジンの構成の一例を示す模式図である。
【図３】図３は、第１実施形態のＰＣ及びプリンタ・コントローラの構成の一例を示す模式図である。
【図４】図４は、第１実施形態のトナーのレイヤーの説明図である。
【図５】図５は、第１実施形態のＭ色の入力階調値とＭ色のトナー量との関係を説明するグラフである。
【図６】図６は、第１実施形態のディザ処理手段のディザ処理の説明図である。
【図７】図７は、第１実施形態のディザ処理手段が保持するディザテーブルの一例を示す図である。
【図８】図８は、第１実施形態のディザ処理手段のディザ処理結果の一例を示す図である。
【図９】図９は、第１実施形態のディザ処理手段のディザ処理結果の一例を示す図である。
【図１０】図１０は、第１実施形態のディザ処理手段の論理回路構成の一例を示す図である。
【図１１−１】図１１−１は、第１実施形態のディザ処理手段の論理回路構成の一例を示す図である。
【図１１−２】図１１−２は、第１実施形態のディザ処理手段の論理回路構成の一例を示す図である。
【図１１−３】図１１−３は、第１実施形態のディザ処理手段の論理回路構成の一例を示す図である。
【図１１−４】図１１−４は、第１実施形態のディザ処理手段の論理回路構成の一例を示す図である。
【図１２】図１２は、第２実施形態のトナー重複印刷の説明図である。
【図１３】図１３は、第２実施形態のディザ処理手段の論理回路構成の一例を示す図である。
【図１４−１】図１４−１は、第２実施形態のディザ処理手段の論理回路構成の一例を示す図である。
【図１４−２】図１４−２は、第２実施形態のディザ処理手段の論理回路構成の一例を示す図である。
【図１４−３】図１４−３は、第２実施形態のディザ処理手段の論理回路構成の一例を示す図である。
【図１４−４】図１４−４は、第２実施形態のディザ処理手段の論理回路構成の一例を示す図である。
【図１５】図１５は、第３実施形態のＭ色の入力階調値とＭ色のトナー量との関係を説明するグラフである。
【図１６】図１６は、第３実施形態のディザ処理手段の論理回路構成の一例を示す図である。
【図１７−１】図１７−１は、第３実施形態のディザ処理手段の論理回路構成の一例を示す図である。
【図１７−２】図１７−２は、第３実施形態のディザ処理手段の論理回路構成の一例を示す図である。
【図１７−３】図１７−３は、第３実施形態のディザ処理手段の論理回路構成の一例を示す図である。
【図１７−４】図１７−４は、第３実施形態のディザ処理手段の論理回路構成の一例を示す図である。
【図１８】図１８は、第４実施形態のプリンタ・コントローラの構成の一例を示す模式図である。
【発明を実施するための形態】
【００１３】
以下、添付図面を参照しながら、本発明にかかる画像処理装置、画像処理システム、画像処理方法及びプログラムの実施形態を詳細に説明する。以下の実施形態では、本発明の画像処理システムを電子写真方式のカラー印刷システム、具体的には、ブラック（Ｋ）、シアン（Ｃ）、マゼンタ（Ｍ）、イエロー（Ｙ）、及びクリア（Ｓ）の５色の色成分画像を記録紙上で重ね合わせて画像を形成するプロダクション・プリンティング分野の印刷システムに適用した場合を例に取り説明するが、これに限定されるものではない。
【００１４】
図１は、第１実施形態の画像処理システムの構成の一例を示すブロック図である。図１に示すように、第１実施形態の画像処理システムは、ＰＣ（Personal  Computer）２０１と、プリンタ・コントローラ２０２（画像処理装置の一例）と、プリンタ・エンジン２０３とを、備える。
【００１５】
ＰＣ２０１は、印刷データを作成し、プリンタ・コントローラ２０２に転送する。
【００１６】
プリンタ・コントローラ２０２は、転送された印刷データに対し、データ伸長、色変換、及びディザ処理等の画像処理を施してビデオデータを作成し、プリンタ・エンジン２０３に転送する。
【００１７】
プリンタ・エンジン２０３は、転送されたビデオデータに基づいて、記録紙（記録媒体の一例）上にカラー画像を形成し（印刷し）、出力する。
【００１８】
図２は、第１実施形態のプリンタ・エンジン２０３の構成の一例を示す模式図である。図２に示すように、プリンタ・エンジン２０３は、複数の露光装置８０１〜８０５と、複数の現像手段８０６〜８１０と、複数の感光体８１１〜８１５と、中間転写体８１７と、転写ローラ８１８と、定着手段８１９とを、備える。
【００１９】
なお、露光装置８０１、現像手段８０６、及び感光体８１１は、ブラック（Ｋ）のトナーでの画像形成に用いられ、露光装置８０２、現像手段８０７、及び感光体８１２は、シアン（Ｃ）のトナーでの画像形成に用いられ、露光装置８０３、現像手段８０８、及び感光体８１３は、マゼンタ（Ｍ）のトナーでの画像形成に用いられ、露光装置８０４、現像手段８０９、及び感光体８１４は、イエロー（Ｙ）のトナーでの画像形成に用いられ、露光装置８０５、現像手段８１０、及び感光体８１５は、クリア（Ｓ）のトナーでの画像形成に用いられる。
【００２０】
露光装置８０１〜８０５は、プリンタ・コントローラ２０２から各色のビデオデータを受信し、感光体８１１〜８１５の表面に各色の静電画像を形成する。現像手段８０６〜８１０は、各色のトナーで感光体８１１〜８１５の静電画像を現像する。これにより、感光体８１１〜８１５の表面には、それぞれ、ブラック（Ｋ）、シアン（Ｃ）、マゼンタ（Ｍ）、イエロー（Ｙ）、クリア（Ｓ）の単色画像が現像される。
【００２１】
各色の単色画像は、中間転写体８１７で重ねられ、クリアトナーを含むフルカラー画像となる。転写ローラ部８１８は、搬送されてきたフルカラー画像を図示せぬ給紙トレイから搬送されてきた記録紙８１６に転写する。
【００２２】
定着手段８１９は、フルカラー画像が転写された記録紙を加熱及び加圧してトナーを記録紙に定着し、プリンタ・エンジン２０３外に排紙する。
【００２３】
なお、プリンタ・エンジン２０３は、色再現域を確保しつつ画質の低下を防止するため、印刷を２回に分けて実行可能である。具体的には、プリンタ・エンジン２０３は、第１パスでの印刷では、未印刷の記録紙に印刷を行い、第２パスでの印刷では、印刷済みの記録紙の同一面への再印刷を行う。なお、第２パスでの印刷を行うためには、プリンタ・エンジン２０３外に排紙された印刷済みの記録紙をユーザが再度給紙トレイに戻す必要がある。
【００２４】
これにより、プリンタ・エンジン２０３が記録紙に定着可能なトナー総量が最大２５０％であるとしても、定着が２回に分けられるため、１回の定着毎にトナーを最大２５０％程度定着させることができ、合計、最大５００％程度のトナーを記録紙に定着させることができる。この結果、ブラック（Ｋ）、シアン（Ｃ）、マゼンタ（Ｍ）、イエロー（Ｙ）、及びクリア（Ｓ）のトナーをそれぞれ１００％ずつ用いた印刷が可能であり、色再現域を確保しつつ画質の低下を防止することができる。
【００２５】
図３は、第１実施形態のＰＣ２０１及びプリンタ・コントローラ２０２の構成の一例を示す模式図である。
【００２６】
まず、ＰＣ２０１について説明する。図３に示すように、ＰＣ２０１は、圧縮手段１３０２と、送信メモリ１３０３とを、備える。
【００２７】
圧縮手段１３０２は、透明画像データを含むビットマップ等の各色の画像データ１３０１を圧縮等して作成した印刷データを送信メモリ１３０３に格納し、図示せぬ転送部が送信メモリ１３０３に格納された印刷データをプリンタ・コントローラ２０２に転送する。圧縮手段１３０２は、例えば、プリンタドライバなどで実現でき、データ圧縮には、ＪＰＥＧ、ＪＢＩＧ、及びＭＨといった圧縮方式を利用できる。
【００２８】
次に、プリンタ・コントローラ２０２について説明する。図３に示すように、プリンタ・コントローラ２０２は、受信メモリ１３０４と、伸長手段１３０５と、フレームメモリ１３０６と、色変換手段１３０７（階調値入力部の一例）と、ディザ処理手段１３０８〜１３１２（ディザ処理部の一例）と、ラインバッファ１３１３〜１３１７と、２パス設定手段１３１９（パス情報入力部の一例）とを、備える。
【００２９】
受信メモリ１３０４は、ＰＣ２０１から転送された印刷データを格納する。受信メモリ１３０４は、例えば、ＦＩＦＯ等で実現できる。
【００３０】
伸長手段１３０５は、受信メモリ１３０４から印刷データを読み出し、データ伸長を行い、透明画像データを含むビットマップ等の各色の画像データを復元し、フレームメモリ１３０６に格納する。フレームメモリ１３０６は、ＤＲＡＭ等で実現できる。
【００３１】
色変換手段１３０７は、フレームメモリ１３０６から透明画像データを除く各色のＲＧＢ色空間のビットマップデータを読み出し、ＣＭＹＫ色空間に変換する。色変換手段１３０７は、例えば、ＲＧＢそれぞれの階調値の補数を取ることによって、ＣＭＹに変換し、当該ＣＭＹそれぞれの階調の最小値をＫとし、当該ＣＭＹそれぞれの階調値から当該最小値を引き算することで、(ＵＣＲ／ＢＧ)ＣＭＹＫ色空間への変換を行うことができる。また色変換手段１３０７は、フレームメモリ１３０６から透明画像データを読み出すが、透明画像データに対して色変換は行わない。なお、画像を回転させる必要がある場合、色変換手段１３０７は、フレームメモリ１３０６からのビットマップデータの読み出し位置を変えることにより実現できる。
【００３２】
そして色変換手段１３０７は、Ｋ色の画像データを構成する各画素の階調値、Ｃ色の画像データを構成する各画素の階調値、Ｍ色の画像データを構成する各画素の階調値、Ｙ色の画像データを構成する各画素の階調値、Ｓ色の画像データを構成する各画素の階調値を、それぞれ、ディザ処理手段１３０８〜１３１２に入力する。
【００３３】
なお本実施形態では、色変換手段１３０７は、プリンタ・エンジン２０３外に排紙された印刷済みの記録紙がユーザにより再度給紙トレイに戻され、再印刷が指示された場合にも、プリンタ・コントローラ２０２の図示せぬ中央演算装置（ＣＰＵ）の指示に基づいて、Ｋ色の画像データを構成する各画素の階調値、Ｃ色の画像データを構成する各画素の階調値、Ｍ色の画像データを構成する各画素の階調値、Ｙ色の画像データを構成する各画素の階調値、Ｓ色の画像データを構成する各画素の階調値を、それぞれ、ディザ処理手段１３０８〜１３１２に再度入力する。
【００３４】
但し、色変換手段１３０７は、後述の２パス設定手段１３１９が入力するパス情報を用いて、第１パスでは、Ｋ色の画像データを構成する各画素の階調値、Ｃ色の画像データを構成する各画素の階調値、Ｍ色の画像データを構成する各画素の階調値を、それぞれ、ディザ処理手段１３０８〜１３１０に入力し、第２パスでは、Ｍ色の画像データを構成する各画素の階調値、Ｙ色の画像データを構成する各画素の階調値、Ｓ色の画像データを構成する各画素の階調値を、それぞれ、ディザ処理手段１３１０〜１３１２に入力するようにしてもよい。
【００３５】
２パス設定手段１３１９は、未印刷の記録紙への印刷である第１パスか、印刷済みの記録紙の同一面への再印刷である第２パスかを示すパス情報をディザ処理手段１３０８〜１３１２に入力する。
【００３６】
なお、プリンタ・エンジン２０３の印刷が第１パスであるか第２パスであるかは、プリンタ・コントローラ２０２の中央演算装置（ＣＰＵ）が、２パス設定手段１３１９に通知し、２パス設定手段１３１９は、この通知に基づいてパス情報をディザ処理手段１３０８〜１３１２に入力する。
【００３７】
例えば、ＰＣ２０１からプリンタ・コントローラ２０２に転送される印刷データに２パスでの印刷（２回に分けての印刷）を設定する設定情報が含まれている場合、中央演算装置（ＣＰＵ）は、２パス設定手段１３１９にプリンタ・エンジン２０３の印刷が第１パスであることを通知する。また例えば、プリンタ・エンジン２０３外に排紙された印刷済みの記録紙がユーザにより再度給紙トレイに戻され、再印刷が指示された場合、中央演算装置（ＣＰＵ）は、２パス設定手段１３１９にプリンタ・エンジン２０３の印刷が第２パスであることを通知する。
【００３８】
ディザ処理手段１３０８〜１３１２は、それぞれ、Ｋ色の画像データを構成する各画素、Ｃ色の画像データを構成する各画素、Ｍ色の画像データを構成する各画素、Ｙ色の画像データを構成する各画素、Ｓ色の画像データを構成する各画素に対してディザ処理を施す。
【００３９】
ここで、プリンタ・エンジン２０３は、Ｋ、Ｃ、Ｍ、Ｙ、及びＳの５色での印刷を行う場合、図４に示すように、記録紙９０１上に、まず、Ｋ色のトナーを転写してＫレイヤー９０２を形成し、続いて、Ｃ色のトナーを転写してＣレイヤー９０３を形成し、続いて、Ｍ色のトナーを転写してＭレイヤー９０４を形成し、続いて、Ｙ色のトナーを転写してＹレイヤー９０５を形成し、続いて、Ｓ色のトナーを転写してＳレイヤー９０６を形成する。
【００４０】
従って、プリンタ・エンジン２０３が２パスでの印刷を行う場合には、１パス目でＫ色のトナー及びＣ色のトナーを最大１００％印刷するとともにＭ色のトナーを最大５０％印刷し、２パス目でＭ色のトナーの残り最大５０％を印刷し、Ｙ色のトナー及びＳ色のトナーを最大１００％印刷する。
【００４１】
このためディザ処理手段１３０８〜１３１２は、自身が保持するディザテーブル、入力された階調値、及び入力されたパス情報に基づいて、各画素に対してディザ処理を施す。
【００４２】
例えば、ディザ処理手段１３０８、１３０９は、パス情報が第１パスを示す場合、ディザテーブルを用いて、各画素の階調値とディザテーブルの該当値とを比較し、階調値の方が大きければ、当該画素にドットを設定するという処理を繰り返し、全体として面積階調を実現する。なお、ディザ処理手段１３０８、１３０９は、入力されたパス情報が第２パスを示す場合、ディザ処理を行わない。
【００４３】
また例えば、ディザ処理手段１３１１、１３１２は、パス情報が第２パスを示す場合、ディザテーブルを用いて、各画素の階調値とディザテーブルの該当値とを比較し、階調値の方が大きければ、当該画素にドットを設定するという処理を繰り返し、全体として面積階調を実現する。なお、ディザ処理手段１３１１、１３１２は、入力されたパス情報が第１パスを示す場合、ディザ処理を行わない。
【００４４】
ここで、前述したように、プリンタ・エンジン２０３は、２パスでの印刷を行う場合には、１パス目でＭ色のトナーを最大５０％印刷し、２パス目でＭ色のトナーの残り最大５０％を印刷する。このため、ディザ処理手段１３１０は、プリンタ・エンジン２０３による１パス目で印刷されるＭ色のトナーが最大５０％となり、２パス目で印刷されるＭ色のトナーが残り最大５０％となるように、ディザ処理を行う必要がある。
【００４５】
図５は、第１実施形態のＭ色の入力階調値とＭ色のトナー量との関係を説明するグラフである。図５に示す例では、横軸は入力階調値、縦軸はトナー量（％）を示す。第１実施形態では、入力階調値は８ビットを想定しているため、最小値０の場合トナー量は０％となり、最大値２５５の場合トナー量は１００％となる。
【００４６】
図５に示すグラフにおいて、１パス目で印刷すべき最大５０％のトナー量は、領域１０１で表され、２パス目で印刷すべき残り最大５０％のトナー量は、領域１０２で表される。
【００４７】
このため、トナー量が５０％以下の場合、即ち、入力階調値が閾値１０３以下の場合、プリンタ・エンジン２０３は、１パス目で全てのトナーを印刷でき、２パス目でのトナーの印刷が不要となる。
【００４８】
一方、トナー量が５０％を越える場合、即ち、入力階調値が閾値１０３を超える場合、プリンタ・エンジン２０３は、１パス目で最大５０％までのトナーしか印刷できず、２パス目で残り（本来のトナー量から５０％分を差し引いた分）のトナーを印刷することになる。
【００４９】
なお、閾値１０３は、例えば、１２７とすることができるが、これに限定されるものではない。
【００５０】
従って、ディザ処理手段１３１０は、自身が保持するディザテーブル及び閾値、入力された階調値、並びに入力されたパス情報に基づいて、各画素に対してディザ処理を施す。
【００５１】
具体的には、ディザ処理手段１３１０は、階調値が閾値以下、かつパス情報が第１パスを示す場合、当該階調値がディザテーブルの該当値以上であれば、当該階調値の画素にドットを設定する。この場合、ディザ処理手段１３１０は、階調値をそのまま用いることで、通常のディザ処理となる（図６の１パス目かつ閾値未満参照）。ディザ処理手段１３１０は、この処理を繰り返し、全体として面積階調を実現する。
【００５２】
またディザ処理手段１３１０は、階調値が閾値よりも大きく、かつパス情報が第１パスを示す場合、当該階調値がディザテーブルの該当値以上、かつ当該該当値が閾値以下であれば、当該階調値の画素にドットを設定する。この場合、ディザ処理手段１３１０は、閾値を階調値に用いれば、通常のディザ処理となる（図６の１パス目かつ閾値以上参照）。ディザ処理手段１３１０は、この処理を繰り返し、全体として面積階調を実現する。
【００５３】
なお、ディザ処理手段１３１０は、階調値が閾値以下、かつパス情報が第１パスを示す場合、当該階調値がディザテーブルの該当値未満であれば、当該階調値の画素にドットを設定せず、階調値が閾値よりも大きく、かつパス情報が第１パスを示す場合、当該階調値がディザテーブルの該当値未満、又は当該該当値が閾値よりも大きければ、当該階調値の画素にドットを設定しない。
【００５４】
また、ディザ処理手段１３１０は、階調値が閾値よりも大きく、かつパス情報が第２パスを示す場合、当該階調値がディザテーブルの該当値以上、かつ当該該当値が閾値よりも大きければ、当該階調値の画素にドットを設定する。この場合、ディザ処理手段１３１０は、階調値をそのまま用いることで、通常のディザ処理となる（図６の２パス目かつ閾値以上参照）。但し、第１パスでドットを設定した画素をマスクする（ドットを設定しない）必要がある。ディザ処理手段１３１０は、この処理を繰り返し、全体として面積階調を実現する。
【００５５】
なお、ディザ処理手段１３１０は、階調値が閾値以下、かつパス情報が第２パスを示す場合、当該階調値の画素にドットを設定せず、階調値が閾値よりも大きく、かつパス情報が第２パスを示す場合、当該階調値がディザテーブルの該当値未満、又は当該該当値が閾値未満であれば、当該階調値の画素にドットを設定しない。
【００５６】
図７は、第１実施形態のディザ処理手段１３０８〜１３１２が保持するディザテーブルの一例を示す図である。
【００５７】
図７に示す例では、ディザテーブルは４×４の１６のマトリックスで構成され、それぞれ１５から２５５まで１６ずつ増加していった値が書き込まれている。ディザ処理手段１３０８〜１３１２は、この４×４のディザテーブルを上下左右に繰り返し接続し、繰り返し処理を行う(周期境界)。
【００５８】
例えば、ディザ処理手段１３０８〜１３１２は、（ｉ，ｊ）番目の画素のディザテーブルの該当値をＤｉ，ｊとし、（ｉ，ｊ）番目の画素の階調値がＡ（ｉ，ｊ）の場合、Ａ（ｉ，ｊ）≧Ｄｉ，ｊならば、（ｉ，ｊ）番目の画素にドットを設定する。
【００５９】
図８は、図７に示すディザテーブル、閾値１００、入力階調値（一面階調値）が８０の場合のディザ処理手段１３１０のディザ処理結果を示す図である。
【００６０】
図８に示す例の場合、ディザ処理手段１３０８は、１パス目には、ディザテーブルの１５、３１、４７、６３、及び７９に相当する画素にドットを設定し、２パス目には、画素にドットを設定しない。このため、最終的な印刷結果では、ディザテーブルの１５、３１、４７、６３、及び７９に相当する画素にトナーが印刷される。
【００６１】
図９は、図７に示すディザテーブル、閾値１００、入力階調値（一面階調値）が１５０の場合のディザ処理手段１３１０のディザ処理結果を示す図である。
【００６２】
図９に示す例の場合、ディザ処理手段１３０８は、１パス目には、ディザテーブルの１５、３１、４７、６３、７９、及び９５に相当する画素にドットを設定し、２パス目には、ディザテーブルの１１１、１２７、及び１４３に相当する画素にドットを設定する。このため、最終的な印刷結果では、ディザテーブルの１５、３１、４７、６３、７９、９５、１１１、１２７、及び１４３に相当する画素にトナーが印刷される。
【００６３】
図１０及び図１１−１〜図１１−４は、第１実施形態のディザ処理手段１３１０の論理回路構成の一例を示す図である。
【００６４】
図１１−１に示す回路は、入力階調値とディザテーブル値との比較を行い、出力１２０２を行う。これは、入力階調値が閾値以下の場合の１パス目の入力階調値に相当する。
【００６５】
図１１−２に示す回路は、閾値とディザテーブル値との比較を行い、出力１２０６を行う。これは、入力階調値が閾値よりも大きい場合の１パス目の入力階調値に相当する。
【００６６】
図１１−３に示す回路は、ゼロ固定であり、出力１２０４を行う。これは、入力階調値が閾値以下の場合の２パス目の入力階調値に相当する。
【００６７】
図１１−４に示す回路は、入力階調値とディザテーブル値を比較する通常のディザ処理演算から、入力階調値が閾値以上のときの１パス目の部分をマスクして、出力１２０８を行う。これは、入力階調値が閾値よりも大きい場合の２パス目の入力階調値に相当する。
【００６８】
図１０に示す回路は、出力１２０２、１２０４、１２０６、１２０８に対し、その印刷が１パス目なのか２パス目なのかのパス情報と、入力階調値が閾値より大きいか否かの情報とで取捨選択し、最終的な出力１２１０、即ち、該当画素にドットを設定するか否かを出力する。
【００６９】
なお、ディザ処理手段１３１０は、図１０及び図１１−１〜図１１−４に示す論理回路構成以外に通常のディザ処理用の論理回路構成も有しており、１パス印刷の場合には、こちらを使用する。
【００７０】
また、ディザ処理手段１３０８、１３０９、１３１１、１３１２も２パスでディザ処理を行う場合には、図１０及び図１１−１〜図１１−４で説明した論理回路構成を備えればよい。
【００７１】
ディザ処理手段１３０８〜１３１２によりディザ処理が施された各画素のデータ（ドットデータ）は、それぞれ、ラインバッファ１３１３、１３１４、１３１３、１３１４に送信され、レーザ駆動のビデオデータとしてプリンタ・エンジン２０３に転送される。
【００７２】
以上のように、第１実施形態によれば、同一色のディザ処理を２回に分けて行うことができる。この結果、同一色の現像剤の印刷を２回に分けて行うことができ、現像剤の色数が５色など奇数の場合であっても、色再現域を確保しつつ画質の低下を防止するため、印刷を２回に分けることが可能となる。
【００７３】
（第２実施形態）
第２実施形態では、ディザ処理手段１３１０のディザ処理を、第１閾値及び当該第１閾値よりも小さい第２閾値を用いて行う例について説明する。以下では、第１実施形態との相違点の説明を主に行い、第１実施形態と同様の機能を有する構成要素については、その説明を省略する。
【００７４】
第２実施形態では、ディザ処理手段１３１０は、第１パスでは第１閾値を用いてディザ処理を行い、第２パスでは第２閾値を用いてディザ処理を行う。ここで、第２閾値は、第１閾値よりも小さいため、一部のドットが第１パスでも第２パスでも設定され、重複して印刷が行われる。
【００７５】
例えば、プリンタ・エンジン２０３が１回の定着で現像剤を最大２６０％程度定着可能であれば、第１パスで０〜６０％までのトナーを印刷でき、第２パスで４０〜１００％までのトナーを印刷できるので、２０％分重複して印刷することができる（図１２参照）。
【００７６】
第１パスでの印刷では、Ｍ色のトナーが最上位レイヤーであり、ＫやＣ色と比べて転写効率が悪いので、第２実施形態によれば、Ｍ色の転写効率の悪さを考慮し、Ｍ色の重複印刷を行うことができる。
【００７７】
第２実施形態では、ディザ処理手段１３１０は、階調値が第１閾値以下、かつパス情報が第１パスを示す場合、当該階調値がディザテーブルの該当値以上であれば、当該階調値の画素にドットを設定する。この場合、ディザ処理手段１３１０は、階調値をそのまま用いることで、通常のディザ処理となる。
【００７８】
またディザ処理手段１３１０は、階調値が第１閾値よりも大きく、かつパス情報が第１パスを示す場合、当該階調値がディザテーブルの該当値以上、かつ当該該当値が第１閾値以下であれば、当該階調値の画素にドットを設定する。この場合、ディザ処理手段１３１０は、第１閾値を階調値に用いれば、通常のディザ処理となる。
【００７９】
なお、ディザ処理手段１３１０は、階調値が第１閾値以下、かつパス情報が第１パスを示す場合、当該階調値がディザテーブルの該当値未満であれば、当該階調値の画素にドットを設定せず、階調値が第１閾値よりも大きく、かつパス情報が第１パスを示す場合、当該階調値がディザテーブルの該当値未満、又は当該該当値が第１閾値よりも大きければ、当該階調値の画素にドットを設定しない。
【００８０】
また、ディザ処理手段１３１０は、階調値が第２閾値よりも大きく、かつパス情報が第２パスを示す場合、当該階調値がディザテーブルの該当値以上、かつ当該該当値が第２閾値よりも大きければ、当該階調値の画素にドットを設定する。この場合、ディザ処理手段１３１０は、階調値をそのまま用いることで、通常のディザ処理となる。但し、第１パスでドットを設定した画素をマスクする必要がある。
【００８１】
なお、ディザ処理手段１３１０は、階調値が第２閾値以下、かつパス情報が第２パスを示す場合、当該階調値の画素にドットを設定せず、階調値が第２閾値よりも大きく、かつパス情報が第２パスを示す場合、当該階調値がディザテーブルの該当値未満、又は当該該当値が第２閾値未満であれば、当該階調値の画素にドットを設定しない。
【００８２】
図１３及び図１４−１〜図１４−４は、第２実施形態のディザ処理手段１３１０の論理回路構成の一例を示す図である。
【００８３】
図１４−１に示す回路は、入力階調値とディザテーブル値との比較を行い、出力１５０２を行う。これは、入力階調値が第１閾値以下の場合の１パス目の入力階調値に相当する。
【００８４】
図１４−２に示す回路は、第１閾値とディザテーブル値との比較を行い、出力１５０６を行う。これは、入力階調値が第１閾値よりも大きい場合の１パス目の入力階調値に相当する。
【００８５】
図１４−３に示す回路は、ゼロ固定であり、出力１５０４を行う。これは、入力階調値が第２閾値以下の場合の２パス目の入力階調値に相当する。
【００８６】
図１４−４に示す回路は、入力階調値とディザテーブル値を比較する通常のディザ処理演算から、入力階調値が第２閾値以上のときの１パス目の部分をマスクして、出力１５０８を行う。これは、入力階調値が第２閾値よりも大きい場合の２パス目の入力階調値に相当する。
【００８７】
図１３に示す回路は、出力１５０２、１５０４、１５０６、１５０８に対し、その印刷が１パス目なのか２パス目なのかのパス情報と、入力階調値が第１閾値より大きいか否かの情報と、入力階調値が第２閾値より大きいか否かの情報と、で取捨選択し、最終的な出力１５１０、即ち、該当画素にドットを設定するか否かを出力する。
【００８８】
以上のように、第２実施形態でも、同一色のディザ処理を２回に分けて行うことができる。この結果、同一色の現像剤の印刷を２回に分けて行うことができ、現像剤の色数が５色など奇数の場合であっても、色再現域を確保しつつ画質の低下を防止するため、印刷を２回に分けることが可能となる。特に第２実施形態によれば、１パス目の最上位レイヤーの転写効率悪化を考慮して印刷可能である。
【００８９】
（第３実施形態）
第３実施形態では、ディザ処理手段１３１０のディザ処理を、階調値の最上位ビットを用いて行う例について説明する。以下では、第１実施形態との相違点の説明を主に行い、第１実施形態と同様の機能を有する構成要素については、その説明を省略する。
【００９０】
第３実施形態では、ディザ処理手段１３１０は、閾値に代えて階調値の最上位ビットを用いてディザ処理を行う。このため、ディザ処理手段１３１０は、閾値を保持するレジスタが必要でなく、コストを削減したり、ハードウェア構成上の制約（論理規模の制約）に対応したりできる。
【００９１】
図１５は、第３実施形態のＭ色の入力階調値とＭ色のトナー量との関係を説明するグラフである。図１５に示すグラフにおいて、１パス目で印刷すべき最大５０％のトナー量は、領域１６０１で表され、２パス目で印刷すべき残り最大５０％のトナー量は、領域１６０２で表される。
【００９２】
このため、トナー量が５０％以下の場合、即ち、入力階調値の最上位ビット（８ビット）が１の場合の階調値の最小値である１２８未満の場合、プリンタ・エンジン２０３は、１パス目で全てのトナーを印刷でき、２パス目でのトナーの印刷が不要となる。
【００９３】
一方、トナー量が５０％を越える場合、即ち、入力階調値の最上位ビット（８ビット）が１の場合の階調値の最小値である１２８以上の場合、プリンタ・エンジン２０３は、１パス目で最大５０％までのトナーしか印刷できず、２パス目で残り（本来のトナー量から５０％分を差し引いた分）のトナーを印刷することになる。
【００９４】
第３実施形態では、ディザ処理手段１３１０は、階調値の最上位ビットが０、かつパス情報が第１パスを示す場合、当該階調値がディザテーブルの該当値以上であれば、当該階調値の画素にドットを設定する。
【００９５】
またディザ処理手段１３１０は、階調値の最上位ビットが１、かつパス情報が第１パスを示す場合、当該階調値がディザテーブルの該当値以上、かつ当該該当値が、最上位ビットが１の場合の階調値の最小値未満であれば、当該階調値の画素にドットを設定する。
【００９６】
なお、ディザ処理手段１３１０は、階調値の最上位ビットが０、かつパス情報が第１パスを示す場合、当該階調値がディザテーブルの該当値未満であれば、当該階調値の画素にドットを設定せず、階調値の最上位ビットが１かつパス情報が第１パスを示す場合、当該階調値がディザテーブルの該当値未満、又は当該該当値が、最上位ビットが１の場合の階調値の最小値以上であれば、当該階調値の画素にドットを設定しない。
【００９７】
また、ディザ処理手段１３１０は、階調値の最上位ビットが１、かつパス情報が第２パスを示す場合、当該階調値がディザテーブルの該当値以上、かつ当該該当値が、最上位ビットが１の場合の階調値の最小値以上であれば、当該階調値の画素にドットを設定する。
【００９８】
なお、ディザ処理手段１３１０は、階調値の最上位ビットが０、かつパス情報が第２パスを示す場合、当該階調値の画素にドットを設定せず、階調値の最上位ビットが１、かつパス情報が第２パスを示す場合、当該階調値がディザテーブルの該当値未満、又は当該該当値が、最上位ビットが１の場合の階調値の最小値未満であれば、当該階調値の画素にドットを設定しない。
【００９９】
図１６及び図１７−１〜図１７−４は、第３実施形態のディザ処理手段１３１０の論理回路構成の一例を示す図である。
【０１００】
図１７−１に示す回路は、入力階調値とディザテーブル値との比較を行い、出力１７０２を行う。これは、入力階調値の最上位ビットが０の場合の１パス目の入力階調値に相当する。
【０１０１】
図１７−２に示す回路は、入力階調値の最上位ビットが１の場合の階調値の最小値−１（１２７）とディザテーブル値との比較を行い、出力１７０６を行う。これは、入力階調値の最上位ビットが１の場合の１パス目の入力階調値に相当する。
【０１０２】
図１７−３に示す回路は、ゼロ固定であり、出力１７０４を行う。これは、入力階調値の最上位ビットが０の場合の２パス目の入力階調値に相当する。
【０１０３】
図１７−４に示す回路は、入力階調値とディザテーブル値を比較する通常のディザ処理演算から、入力階調値の最上位ビットが１の場合の１パス目の部分をマスクして、出力１７０８を行う。これは、入力階調値の最上位ビットが１の場合の２パス目の入力階調値に相当する。
【０１０４】
図１６に示す回路は、出力１７０２、１７０４、１７０６、１７０８に対し、その印刷が１パス目なのか２パス目なのかのパス情報と、入力階調値の最上位ビットが１か０かの情報と、で取捨選択し、最終的な出力１７１０、即ち、該当画素にドットを設定するか否かを出力する。
【０１０５】
以上のように、第３実施形態でも、同一色のディザ処理を２回に分けて行うことができる。この結果、同一色の現像剤の印刷を２回に分けて行うことができ、現像剤の色数が５色など奇数の場合であっても、色再現域を確保しつつ画質の低下を防止するため、印刷を２回に分けることが可能となる。特に第３実施形態によれば、閾値を保持するレジスタが必要でなく、コストを削減したり、ハードウェア構成上の制約（論理規模の制約）に対応したりでき、小型カラープリンタなどに有効である。
【０１０６】
（第４実施形態）
第４実施形態では、第１パスでの印刷結果を示す表示用画像を表示する例について説明する。以下では、第１実施形態との相違点の説明を主に行い、第１実施形態と同様の機能を有する構成要素については、その説明を省略する。
【０１０７】
２パスで印刷を行う場合、第１パスでの印刷結果はＫ、Ｃ、及びＭの一部が印刷されたものであり、印刷物としては未完成であるため、ユーザは、印刷結果が正しいのか否か判別しにくい。
【０１０８】
このため、第４実施形態では、第１パスでの印刷結果を示す表示用画像を表示し、ユーザが、第１パスでの印刷結果が正しいのか否か判別しやすくする。また、第２パスで使用する給紙トレイをユーザに選択させる。これにより、プリンタ・エンジン２０３も第２パスの印刷をいずれの給紙トレイから用紙を搬送すればよいか判断できる。なお、第２パスで使用する給紙トレイをプリンタ・エンジン２０３が指定してもよい。
【０１０９】
図１８は、第４実施形態のプリンタ・コントローラ１８０２の構成の一例を示す模式図である。図１８に示すように、プリンタ・コントローラ１８０２は、色変換手段１８０７、サムネイル作成手段１８０８（表示用画像作成部の一例）、画像メモリ１０９、及び表示パネル１８１０（表示部及び選択部の一例）が第１実施形態と相違する。
【０１１０】
色変換手段１８０７は、Ｋ色の画像データ、Ｃ色の画像データ、及びＭ色の画像データをサムネイル作成手段１８０８に入力する。
【０１１１】
サムネイル作成手段１８０８は、パス情報が第１パスを示す場合、第１パスでの印刷結果を示す表示用画像を作成する。具体的には、サムネイル作成手段１８０８は、パス情報が第１パスを示す場合、Ｋ色の画像データ、Ｃ色の画像データ、及びＭ色の画像データを用いて第１パスでの印刷結果を示すサムネイル画像を作成する。この際、サムネイル作成手段１８０８は、Ｍ色の画像データのトナー量が５０％以上の場合５０％としてサムネイル画像を作成する。
【０１１２】
Ｋ色の画像データ、Ｃ色の画像データ、及びＭ色の画像データは、各画素８ビットの多値データ（Ｋ、Ｃ、Ｍ）なので、サムネイル作成手段１８０８は、そのままビットマップの作成が可能である。但し、サムネイル画像データの容量の関係から、サムネイル作成手段１８０８は、一般的によく使われるＪＰＥＧやＧＩＦに変換してもよい。またサムネイル作成手段１８０８は、その他、画素を間引いたり、画像縮小を行ったりしてもよい。
【０１１３】
またサムネイル作成手段１８０８は、パス情報が第２パスを示す場合、第２パスでの印刷結果を示すサムネイル画像を作成してもよい。
【０１１４】
画像メモリ１０９は、サムネイル画像を保存する。
【０１１５】
表示パネル１８１０は、画像メモリ１０９に保存されたサムネイル画像を表示する。例えば、表示パネル１８１０は、第１パスでの印刷後、サムネイル画像を表示する。この際、表示パネル１８１０は、第２パスで使用する給紙トレイを選択させてもよい。また表示パネル１８１０は、用紙種、用紙厚、及び用紙サイズなどを考慮し、第２パスで使用する給紙トレイを指定してもよい。
【０１１６】
以上のように、第４実施形態でも、同一色のディザ処理を２回に分けて行うことができる。この結果、同一色の現像剤の印刷を２回に分けて行うことができ、現像剤の色数が５色など奇数の場合であっても、色再現域を確保しつつ画質の低下を防止するため、印刷を２回に分けることが可能となる。特に第４実施形態によれば、ユーザが、第１パスでの印刷結果が正しいのか否か判別しやすくなり、プリンタ・エンジン２０３も第２パスの印刷をいずれの給紙トレイから用紙を搬送すればよいか判断できる。
【０１１７】
（変形例）
なお、本発明は、上記各実施形態に限定されるものではなく、種々の変形が可能である。例えば、上記各実施形態において、プリンタ・コントローラ２０３、１８０３が有する少なくとも一部の機能（例えば、ディザ処理手段１３０８〜１３０２）を外部（例えば、クラウド上）に設け、プリンタ・コントローラ２０３、１８０３をシステムとして実現してもよい。
【０１１８】
（ハードウェア構成）
上記各実施形態のプリンタ・コントローラ２０３、１８０３は、ＣＰＵなどの制御装置、ＲＯＭやＲＡＭなどの記憶装置と、ＨＤＤなどの外部記憶装置と、ディスプレイなどの表示装置と、キーボードやマウスなどの入力装置と、通信Ｉ／Ｆ（インタフェース）などの通信装置と、を備えており、通常のコンピュータを利用したハードウェア構成となっている。
【０１１９】
上記各実施形態のプリンタ・コントローラ２０３、１８０３で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１２０】
また、上記各実施形態のプリンタ・コントローラ２０３、１８０３を、インターネット等のネットワークに接続されたコンピュータ上に格納し、ネットワーク経由でダウンロードさせることにより提供するようにしてもよい。また、上記各実施形態のプリンタ・コントローラ２０３、１８０３で実行されるプログラムを、インターネット等のネットワーク経由で提供または配布するようにしてもよい。また、上記各実施形態のプリンタ・コントローラ２０３、１８０３で実行されるプログラムを、ＲＯＭ等に予め組み込んで提供するようにしてもよい。
【０１２１】
上記各実施形態のプリンタ・コントローラ２０３、１８０３で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【０１２２】
２０１  ＰＣ
２０２、１８０２  プリンタ・コントローラ
２０３  プリンタ・エンジン
８０１〜８０５  露光装置
８０６〜８１０  現像手段
８１１〜８１５  感光体
８１７  中間転写体
８１８  転写ローラ
８１９  定着手段
１３０２  圧縮手段
１３０３  送信メモリ
１３０４  受信メモリ
１３０５  伸長手段
１３０６  フレームメモリ
１３０７、１８０７  色変換手段
１３０８〜１３１２  ディザ処理手段
１３１３〜１３１７  ラインバッファ
１３１９  ２パス設定手段
１８０８  サムネイル作成手段
１８０９  画像メモリ
１８１０  表示パネル
【先行技術文献】
【特許文献】
【０１２３】
【特許文献１】特許第４３４５２９５号公報
【特許文献２】特開２００１−０８８３７１号公報
【図１】
2015061140.tif 000003
【図２】
2015061140.tif 000004
【図３】
2015061140.tif 000005
【図４】
2015061140.tif 000006
【図５】
2015061140.tif 000007
【図６】
2015061140.tif 000008
【図７】
2015061140.tif 000009
【図８】
2015061140.tif 000010
【図９】
2015061140.tif 000011
【図１０】
2015061140.tif 000012
【図１１−１】
2015061140.tif 000013
【図１１−２】
2015061140.tif 000014
【図１１−３】
2015061140.tif 000015
【図１１−４】
2015061140.tif 000016
【図１２】
2015061140.tif 000017
【図１３】
2015061140.tif 000018
【図１４−１】
2015061140.tif 000019
【図１４−２】
2015061140.tif 000020
【図１４−３】
2015061140.tif 000021
【図１４−４】
2015061140.tif 000022
【図１５】
2015061140.tif 000023
【図１６】
2015061140.tif 000024
【図１７−１】
2015061140.tif 000025
【図１７−２】
2015061140.tif 000026
【図１７−３】
2015061140.tif 000027
【図１７−４】
2015061140.tif 000028
【図１８】
2015061140.tif 000029